(57)【特許請求の範囲】
【請求項１】
複数のバッテリセルからなるバッテリパックと、前記複数のバッテリセルの状態を測定するセルモニタリング部と、前記セルモニタリング部を介して前記バッテリパックの状態を表わす診断信号を生成するＢＭＩＣと、前記診断信号を受信するメインＭＣＵ及び前記診断信号を受信し、前記メインＭＣＵデータを送受信する補助ＭＣＵと、前記ＢＭＩＣと前記メインＭＣＵとの間のデータと前記ＢＭＩＣと前記補助ＭＣＵとの間のデータとを送受信する通信部とを備えるバッテリパック状態の並列モニタリング装置において、
前記ＢＭＩＣと前記メインＭＣＵとを結ぶデータラインと、
前記データラインと並列接続された並列ラインと、
前記並列ラインと接続されて前記ＢＭＩＣと前記メインＭＣＵとの間において送受信されるデータをモニタリングし、モニタリングされた前記データを前記補助ＭＣＵに引き渡す通信モニタリング部と、
を備えることを特徴とするバッテリパック状態の並列モニタリング装置。
【請求項２】
前記通信モニタリング部は、
前記メインＭＣＵが前記ＢＭＩＣから通信部を介してデータを正常的に受信したか否かを問わず、前記モニタリングされた前記データを前記補助ＭＣＵに引き渡すことを特徴とする請求項１に記載のバッテリパック状態の並列モニタリング装置。
【請求項３】
前記通信モニタリング部の動作状態を制御する制御部を更に備えることを特徴とする請求項１に記載のバッテリパック状態の並列モニタリング装置。
【請求項４】
前記ＢＭＩＣから前記診断信号を受信した前記メインＭＣＵが、受信した前記診断信号に対応する動作を行い始めるのにかかる時間を表わす動作遂行時間情報が予め格納された格納部を更に備え、
前記制御部は、前記メインＭＣＵが前記診断信号を前記ＢＭＩＣから受信した場合、前記メインＭＣＵが前記動作遂行時間情報が表わす時間内に前記動作を行うか否かを判断し、前記判断の結果、前記メインＭＣＵが、前記動作遂行時間情報が表わす時間内に前記動作を行わない場合、前記補助ＭＣＵが受信した前記診断信号に対応する動作を直ちに行うように指令する動作遂行指令信号を生成し、生成された前記動作遂行指令信号を前記通信モニタリング部を介して前記補助ＭＣＵに引き渡して前記動作を行うように制御することを特徴とする請求項３に記載のバッテリパック状態の並列モニタリング装置。
【請求項５】
前記通信モニタリング部は、
３ステートバッファからなることを特徴とする請求項１に記載のバッテリパック状態の並列モニタリング装置。
【発明の詳細な説明】
【技術分野】
【０００１】
本発明は、バッテリパック状態の並列モニタリング装置に係り、特に、バッテリパックの状態を、通信部とメイン・マイクロ・コントロール・ユニット（ＭＣＵ）とを結ぶ通信ラインと並列接続された並列ラインと、並列ラインを介して通信部とメインＭＣＵとの間の送受信データをモニタリングする通信モニタリング部と、により構成される簡単な並列構成でモニタリングすることにより、高いレベルの安全メカニズムを達成することのできるバッテリパック状態の並列モニタリング装置に関する。
【背景技術】
【０００２】
最近、二次電池への取り組みが盛んに行われている。ここで、二次電池は、充放電可能な電池であって、従来のＮｉ／Ｃｄ電池、Ｎｉ／ＭＨ電池などや最近のリチウムイオン電池を網羅するものである。二次電池のうち、リチウムイオン電池は、従来のＮｉ／Ｃｄ電池、Ｎｉ／ＭＨ電池などに比べて、エネルギー密度がはるかに高いというメリットがある。また、リチウムイオン電池は、小型・軽量に製作可能であることから、移動機器の電源として用いられる。なお、リチウムイオン電池は、電気自動車の電源へまでその使用範囲が拡張されて、次世代のエネルギー貯蔵媒体として注目を集めている。
【０００３】
一方、車両に用いられるバッテリパック状態のモニタリングシステムは、車両や運転者に有害な状況に対して誤りなしにモニタリングが行えるように高いレベルの安全メカニズムを求めている。例えば、電気自動車のバッテリ・マネージメント・システム（ＢＭＳ：Ｂａｔｔｅｒｙ  Ｍａｎａｇｅｍｅｎｔ  Ｓｙｓｔｅｍ）のバッテリ監視集積回路（ＢＭＩＣ）の場合、アナログ・フロント・エンド（ＡＦＥ：Ａｎａｌｏｇ  Ｆｒｏｎｔ  Ｅｎｄ）などのセルモニタリング部の動作を制御して、バッテリパックを対象として電圧、電流及び温度などの状態情報を測定し、測定された状態情報から診断信号を生成して、メインＭＣＵ及び補助ＭＣＵに車両内の通信を通じて引き渡す。メインＭＣＵ及び補助ＭＣＵは、ＢＭＩＣから診断信号を受信してバッテリパックの状態をモニタリングする。ここで、バッテリパックの状態をモニタリングする行為それ自体が運転者の安全につながるため、バッテリパックの状態をモニタリングする構成部は安全要求事項に合うように設計されなければならない。
【０００４】
高い安全要求事項を満たすために、従来のバッテリパックのモニタリングシステムは、ＢＭＩＣ及び回路端を追加的に設計してバッテリパックの測定及び診断を行う技術や、既存のバッテリパックのモニタリングシステムのメインＭＣＵを高い安全要求事項を満たす仕様を有する高性能のメインＭＣＵに置き換えてバッテリパックの測定及び診断を行う技術を採用していた。
【０００５】
しかしながら、高い安全要求事項を満たすための従来のバッテリパックのモニタリングシステムの設計技術は、生産に当たってコストが高騰してしまうという不都合がある。なお、従来のバッテリパックのモニタリングシステムの設計技術は、追加的に設計されたＢＭＩＣ及び回路端に起因してＢＭＳの体積が増加してしまい、これは、最終的に量産された製品の大型化につながるという不都合がある。
【０００６】
この理由から、バッテリパックモニタリングシステムにＢＭＩＣ及び回路端を追加的に設計したり、使用中のメインＭＣＵを高性能のメインＭＣＵに置き換えるための設計を行ったりすることなく、高い安全要求事項を満たす安全メカニズムを達成することのできるバッテリパック状態の並列モニタリング装置の開発が望まれる。
【発明の概要】
【発明が解決しようとする課題】
【０００７】
本発明は、ＢＭＩＣ及び回路端を追加的に設計したり、高性能のＢＭＩＣを採用したりする従来のバッテリパックのモニタリングシステムに比べて、生産コストを増やすことなく、高い安全要求事項を満たすことのできるバッテリパック状態の並列モニタリング装置を提供する。
【０００８】
また、本発明は、ＢＭＩＣ及び回路端を追加的に設計する従来のバッテリパックのモニタリングシステムに比べて、体積を増加させることなく、高い安全要求事項を満たすことのできるバッテリパック状態の並列モニタリング装置を提供する。
【課題を解決するための手段】
【０００９】
本発明の実施形態によるバッテリパック状態の並列モニタリング装置は、複数のバッテリセルからなるバッテリパックと、前記複数のバッテリセルの状態を測定するセルモニタリング部と、前記セルモニタリング部を介して前記バッテリパックの状態を表わす診断信号を生成するＢＭＩＣと、前記診断信号を受信するメインＭＣＵ及び前記診断信号を受信し、前記メインＭＣＵデータを送受信する補助ＭＣＵを備えるバッテリパック状態の並列モニタリング装置において、前記ＢＭＩＣと前記メインＭＣＵとを結ぶデータラインと、前記データラインと並列接続された並列ラインと、前記並列ラインと接続されて前記ＢＭＩＣと前記メインＭＣＵとの間において送受信されるデータをモニタリングし、モニタリングされた前記データを前記補助ＭＣＵに引き渡す通信モニタリング部と、を備えることを特徴とする。
【００１０】
前記モニタリング部は、前記メインＭＣＵが前記ＢＭＩＣから前記通信部を介してデータを正常的に受信したか否かを問わず、前記モニタリングされた前記データを前記補助ＭＣＵに引き渡し得る。
【００１１】
前記バッテリパック状態の並列モニタリング装置は、前記通信モニタリング部の動作状態を制御する制御部を更に備え得る。
【００１２】
前記バッテリパック状態の並列モニタリング装置は、前記ＢＭＩＣから前記診断信号を受信した前記メインＭＣＵが、受信した前記診断信号に対応する動作を行い始めるのにかかる時間を表わす動作遂行時間情報が予め格納された格納部を更に備え、前記制御部は、前記メインＭＣＵが前記診断信号を前記ＢＭＩＣから受信した場合、前記メインＭＣＵが前記動作遂行時間情報が表わす時間内に前記動作を行うか否かを判断し、前記判断の結果、前記メインＭＣＵが、前記動作遂行時間情報が表わす時間内に前記動作を行わない場合、前記補助ＭＣＵが受信した前記診断信号に対応する動作を直ちに行うように指令する動作遂行指令信号を生成し、生成された前記遂行指令信号を前記通信モニタリング部を介して前記補助ＭＣＵに引き渡して前記動作を行うように制御し得る。
【００１３】
前記通信モニタリング部は、３ステートバッファ（３  ｓｔａｔｅ  ｂｕｆｆｅｒ）からなり得る。
【発明の効果】
【００１４】
本発明の実施形態によるバッテリパック状態の並列モニタリング装置は、ＢＭＩＣとメインＭＣＵとの間において送受信されるデータをモニタリングする通信モニタリング部を用いて、補助ＭＣＵが高いレベルの安全メカニズムを行うことができるので、ＢＭＩＣ及び回路端を追加的に設計したり、高性能のＢＭＩＣを採用したりする従来のバッテリパックのモニタリングシステムに比べて、生産コストを増やすことなく、高い安全要求事項を満たすことができる。
【００１５】
また、本発明の実施形態によるバッテリパック状態の並列モニタリング装置は、バッテリパックのモニタリングシステムに通信モニタリング部及び制御部を付設する追加設計を行うことにより、ＢＭＩＣ及び回路端を追加的に設計する従来の技術に比べて、ＢＭＳの体積を増加させることなく、高い安全要求事項を満たすことができる。
【図面の簡単な説明】
【００１６】
【図１】従来のバッテリパックのモニタリングシステムの構成図である。
【図２】ＢＭＩＣ及び回路端が追加的に設計された従来のバッテリパックのモニタリングシステムの構成図である。
【図３】メインＭＣＵが高性能ＭＣＵに置き換えられた従来のバッテリパックのモニタリングシステムの構成図である。
【図４】本発明の実施形態によるバッテリパック状態の並列モニタリング装置が組み込まれたバッテリパック状態の並列モニタリングシステムの構成図である。
【図５】本発明の実施形態によるバッテリパック状態の並列モニタリング装置における制御部の構成図である
【発明を実施するための形態】
【００１７】
以下、添付図面に基づいて本発明の実施形態について詳細に説明する。しかしながら、本発明は以下に開示される実施形態に何ら限定されるものではなく、異なる様々な形態に具体化され、単にこれらの実施形態は本発明の開示を完全たるものにし、通常の知識を有する者に発明の範囲を完全に知らせるために提供されるものである。
【００１８】
本発明の実施形態によるバッテリパックは、電気エネルギーを蓄え、蓄えられた電気エネルギーを提供してもよい。このようなバッテリパックは、充電及び放電が行える複数のバッテリセルを備えていてもよい。
【００１９】
また、バッテリパックは、所定の数のバッテリセルにより構成されるバッテリモジュールからなってもよい。すなわち、バッテリパックは、少なくとも一つのバッテリモジュールを備えていてもよいため、複数のバッテリセルを備えていてもよい。
【００２０】
更に、複数のバッテリモジュールがバッテリパックを構成する場合、それぞれのバッテリモジュールは、バッテリや負荷などのスペック（ｓｐｅｃｉｆｉｃａｔｉｏｎ）に見合うように直列方式及び／又は並列方式といった様々な方法により互いに電気的に接続されてもよい。
【００２１】
更にまた、複数のバッテリセルがバッテリモジュールを構成する場合、それぞれのバッテリセルは、直列方式及び／又は並列方式といった様々な方法により互いに電気的に接続されてもよい。ここで、バッテリセルの種類は特に限定されない。例えば、バッテリセルの種類としては、リチウムイオン電池、リチウムポリマー電池、ニッケルカドミウム電池、ニッケル水素電池、ニッケル亜鉛電池などが挙げられる。
【００２２】
まず、本発明の実施形態によるバッテリパック状態の並列モニタリング装置が組み込まれたバッテリパックのモニタリングシステムの理解への一助となるために、図１から図３に基づいて、従来のバッテリパックのモニタリングシステムの設計技術について説明する。
【００２３】
１．従来のバッテリパックのモニタリングシステムの一例
図１は、従来のバッテリパックのモニタリングシステムの構成図である。
【００２４】
図１を参照すると、従来のバッテリパックのモニタリングシステム１００は、バッテリパック１１０と、バッテリセルモニタリング部１２０と、ＢＭＩＣ１３０と、通信部１４０と、メインＭＣＵ１５０及び補助ＭＣＵ１６０を備える。
【００２５】
バッテリパック１１０は、複数のバッテリセル１１１（１１１ａ、１１１ｂ、１１１ｎ）を備えてなる。
【００２６】
バッテリセルモニタリング部１２０は、ＢＭＩＣ１３０の制御下で、バッテリパック１１０に組み込まれた複数のバッテリセル１１１（１１１ａ、１１１ｂ、１１１ｎ）を対象として電圧値、電流値及び温度値などを測定して、バッテリパックの状態を表わす状態信号を生成する。
【００２７】
次いで、バッテリセルモニタリング部１２０は、生成された状態信号をＢＭＩＣ１３０に引き渡す。
【００２８】
ＢＭＩＣ１３０には、バッテリセルモニタリング部１２０において生成された状態信号が引き渡され、ＢＭＩＣ１３０は、引き渡された状態信号からバッテリパック１１０の状態による診断を表わす診断信号を生成する。
【００２９】
次いで、ＢＭＩＣ１３０は、生成された診断信号を通信部１４０を介して所定の通信方式に従い、メインＭＣＵ１５０及び補助ＭＣＵ１６０に引き渡す。
【００３０】
通信部１４０は、所定の通信方式に従い、ＢＭＩＣ１３０とメインＭＣＵ１５０との間のデータを送受信したり、ＢＭＩＣ１３０と補助ＭＣＵ１６０との間のデータを送受信したりする。
【００３１】
メインＭＣＵ１５０は、通信部１４０を介してＢＭＩＣ１３０から診断信号を受信し、受信した診断信号に対応する動作を行ってもよい。ここで、動作とは、安全メカニズムと関連する動作のことをいう。
【００３２】
補助ＭＣＵ１６０は、通信部１４０を介してＢＭＩＣ１３０から診断信号を受信してもよく、メインＭＣＵ１５０とデータを送受信してもよい。
【００３３】
また、補助ＭＣＵ１６０は、メインＭＣＵ１５０が受信した診断信号に基づいて対応する動作を行うか否かに応じて、安全メカニズムと関連する動作の補助動作を行うか否かを判断し、判断の結果、補助動作を行う必要がある場合、安全メカニズムと関連する補助動作を行ってもよい。
【００３４】
２．ＢＭＩＣ及び回路端が追加的に設計された従来のバッテリパックのモニタリングシステムの一例
図２は、ＢＭＩＣ及び回路端が追加的に設計された従来のバッテリパックのモニタリングシステムの構成図である。
【００３５】
図２を参照すると、ＢＭＩＣ及び回路端が追加的に設計された従来のバッテリパックのモニタリングシステム２００は、バッテリパック２１０と、バッテリセルモニタリング部２２０と、ＢＭＩＣ２３０と、通信部２４０と、メインＭＣＵ２５０と、補助ＭＣＵ２６０及び追加回路端２７０を備える。
【００３６】
ＢＭＩＣ及び回路端が追加的に設計された従来のバッテリパックのモニタリングシステム２００のバッテリパック２１０と、バッテリセルモニタリング部２２０と、ＢＭＩＣ２３０と、通信部２４０と、メインＭＣＵ２５０及び補助ＭＣＵ２６０についての詳細な説明は、図１に示す従来のバッテリパックのモニタリングシステム１００に組み込まれたバッテリパック１１０と、バッテリセルモニタリング部１２０と、ＢＭＩＣ１３０と、通信部１４０と、メインＭＣＵ１５０及び補助ＭＣＵ１６０の説明と同様であるため、これらについての詳細な説明は省略する。
【００３７】
追加回路端２７０は、追加バッテリセルモニタリング部２７１と、追加ＢＭＩＣ２７２及び追加通信部２７３を備える。
【００３８】
追加バッテリセルモニタリング部２７１は、追加ＢＭＩＣ２７２の制御下で、バッテリパック２１０に組み込まれた複数のバッテリセル２１１（２１１ａ、２１１ｂ、２１１ｎ）を対象として電圧値、電流値及び温度値などを測定して、バッテリパックの状態を表わす状態信号を生成する。
【００３９】
次いで、追加バッテリセルモニタリング部２７１は、生成された状態信号を追加ＢＭＩＣ２７２に引き渡す。
【００４０】
追加ＢＭＩＣ２７２には、追加バッテリセルモニタリング部２７１において生成された状態信号が引き渡され、追加ＢＭＩＣ２７２は、引き渡された状態信号からバッテリパック２１０の状態による診断を表わす診断信号を生成する。
【００４１】
次いで、追加ＢＭＩＣ２７２は、生成された診断信号を追加通信部２７３を介して所定の通信方式に従い、補助ＭＣＵ２６０に引き渡す。
【００４２】
追加通信部２７３は、所定の通信方式に従い、追加ＢＭＩＣ２７２と補助ＭＣＵ２６０との間のデータを送受信する。
【００４３】
補助ＭＣＵ２６０は、通信部２４０を介してＢＭＩＣ２３０から診断信号を受信してもよい。
【００４４】
また、補助ＭＣＵ２６０は、追加回路端２７０の追加通信部２７３を介して追加ＢＭＩＣ２７２から診断信号を受信してもよい。
【００４５】
更に、補助ＭＣＵ２６０は、メインＭＣＵ２５０とデータを送受信してもよい。
【００４６】
更にまた、補助ＭＣＵ２６０は、メインＭＣＵ２５０が受信した診断信号に基づいて対応する動作を行うか否かに応じて、安全メカニズムと関連する動作の補助動作を行うか否かを判断し、判断の結果、補助動作を行う必要がある場合、安全メカニズムと関連する補助動作を行ってもよい。
【００４７】
前記図２に基づいて述べた、ＢＭＩＣ及び回路端が追加的に設計された従来のバッテリパックのモニタリングシステム２００は、前記図１に基づいて述べた従来のバッテリパックのモニタリングシステム１００よりも高い安全メカニズムを行うことができるが、ＢＭＳの生産コストを増やし、最終的に生産されるＢＭＳの体積を増加させてしまうという欠点を有する技術である。
【００４８】
３．メインＭＣＵが高性能ＭＣＵに置き換えられた従来のバッテリパックのモニタリングシステムの一例
図３は、メインＭＣＵが高性能ＭＣＵに置き換えられた従来のバッテリパックのモニタリングシステムの構成図である。
【００４９】
メインＭＣＵが高性能ＭＣＵに置き換えられた従来のバッテリパックのモニタリングシステム３００は、バッテリパック３１０と、バッテリセルモニタリング部３２０と、ＢＭＩＣ３３０と、通信部３４０と、高性能ＭＣＵ３５０及び補助ＭＣＵ３６０を備える。
メインＭＣＵが高性能ＭＣＵに置き換えられた従来のバッテリパックのモニタリングシステム３００のバッテリパック３１０と、バッテリセルモニタリング部３２０と、ＢＭＩＣ３３０と、通信部３４０及び補助ＭＣＵ２６０についての詳細な説明は、図１に示す従来のバッテリパックのモニタリングシステム１００に組み込まれたバッテリパック１１０と、バッテリセルモニタリング部１２０と、ＢＭＩＣ１３０と、通信部１４０及び補助ＭＣＵ１６０の説明と同様であるため、これらについての詳細な説明は省略する。
【００５０】
高性能ＭＣＵ３５０は、高い安全事項を満たすスペックに見合うＭＣＵである。
【００５１】
前記図３に基づいて述べた、メインＭＣＵが高性能ＭＣＵに置き換えられた従来のバッテリパックのモニタリングシステム３００は、前記図１に基づいて述べた従来のバッテリパックのモニタリングシステム１００よりも高い安全メカニズムを行うことができるが、ＢＭＳの生産コストを増やしてしまうという欠点を有する技術である。
【００５２】
４．本発明の実施形態によるバッテリパック状態の並列モニタリング装置が組み込まれたバッテリパック状態の並列モニタリングシステムの一例
図４は、本発明の実施形態によるバッテリパック状態の並列モニタリング装置が組み込まれたバッテリパックのモニタリングシステムの構成図である。
【００５３】
図４を参照すると、本発明の実施形態によるバッテリパック状態の並列モニタリング装置が組み込まれたバッテリパックのモニタリングシステム４００は、バッテリパック４１０と、バッテリセルモニタリング部４２０と、ＢＭＩＣ４３０と、通信部４４０と、メインＭＣＵ４５０と、補助ＭＣＵ４６０及びバッテリパック状態の並列モニタリング装置４７０を備えていてもよい。
【００５４】
本発明の実施形態によるバッテリパック状態の並列モニタリング装置が組み込まれたバッテリパックのモニタリングシステム４００のバッテリパック４１０と、バッテリセルモニタリング部４２０と、ＢＭＩＣ４３０と、通信部４４０と、メインＭＣＵ４５０及び補助ＭＣＵ４６０についての詳細な説明は、図１に示す従来のバッテリパックのモニタリングシステム１００に組み込まれたバッテリパック１１０と、バッテリセルモニタリング部１２０と、ＢＭＩＣ１３０と、通信部１４０と、メインＭＣＵ１５０及び補助ＭＣＵ１６０の説明と同様であるため、これらについての詳細な説明は省略する。
【００５５】
本発明の実施形態によるバッテリパック状態の並列モニタリング装置４７０は、通信モニタリング部４７１と、格納部４７２及び制御部４７３を備えていてもよい。
【００５６】
通信モニタリング部４７１は、制御部４７３の制御下で、通信部４４０とメインＭＣＵ４５０との間において送受信されるデータをモニタリングしてもよい。
【００５７】
より詳しくは、通信モニタリング部４７１は、通信部４４０とメインＭＣＵ４５０とを結ぶデータラインと並列接続された並列ラインを介して、通信部４４０とメインＭＣＵ４５０との間において送受信されるデータをモニタリングしてもよい。
【００５８】
また、通信モニタリング部４７１は、通信部４４０とメインＭＣＵ４５０とを結ぶデータラインを介して送受信されるデータが存在するか否かをモニタリングし、送受信されるデータが存在する場合、これを受信して再び補助ＭＣＵ４６０に引き渡してもよい。
【００５９】
更に、通信モニタリング部４７１は、３ステートバッファからなってもよく、制御部４７３の制御信号に基づいて動作状態が決定されてもよい。
【００６０】
更にまた、通信モニタリング部４７１は、メインＭＣＵ４５０がＢＭＩＣ４３０から通信部４４０を介してデータを受信したか否かを問わず、モニタリングされたデータを補助ＭＣＵ４６０に引き渡してもよい。
【００６１】
更に詳しくは、ＢＭＩＣ４３０が診断信号を生成して通信部４４０を介してメインＭＣＵ４５０に引き渡したにも拘わらず、メインＭＣＵ４５０に該診断信号が正常的に受信されない結果、診断信号に対応する動作が行われない場合、通信モニタリング部４７１は、メインＭＣＵ４５０がＢＭＩＣ４３０から通信部４４０を介してデータを受信したか否かと問わず、モニタリングされたデータを補助ＭＣＵ４６０に引き渡して、補助ＭＣＵ４６０に診断信号に対応する動作を行わせて高い安全メカニズムを達成することができる。
【００６２】
格納部４７２は、ＢＭＩＣ４３０から診断信号を受信したメインＭＣＵ４５０が、受信した診断信号に対応する動作を行い始めるのにかかる時間を表わす動作遂行時間情報を予め格納しておいてもよい。
【００６３】
制御部４７３は、通信モニタリング部４７１及び格納部４７２の動作を制御してもよい。
【００６４】
また、制御部４７３は、図５に示す構成部を更に備えていてもよい。
【００６５】
図５は、本発明の実施形態によるバッテリパック状態の並列モニタリング装置の制御部の構成図である。
【００６６】
図５を参照すると、本発明の実施形態によるバッテリパック状態の並列モニタリング装置４７０の制御部４７３は、メインＭＣＵ動作遂行有無判断部４７３−１及び動作遂行指令信号生成部４７３−２を更に備えていてもよい。
メインＭＣＵ動作遂行有無判断部４７３−１は、メインＭＣＵ４５０が診断信号をＢＭＩＣ４３０から受信した場合、メインＭＣＵ４５０が、格納部４７２に予め格納された動作遂行時間情報が表わす時間内に診断信号に対応する動作を行うか否かを判断してもよい。
【００６７】
前記判断の結果、メインＭＣＵ４５０が、格納部４７２に予め格納された動作遂行時間情報が表わす時間内に診断信号に対応する動作を行わない場合、補助ＭＣＵ４６０の補助動作を行う必要がある状況であると判断してもよい。
【００６８】
動作遂行指令信号生成部４７３−２は、メインＭＣＵ動作遂行有無判断部４７３−１において補助ＭＣＵ４６０の補助動作を行う必要がある状況であると判断された場合、補助ＭＣＵ４６０が受信した診断信号に対応する動作を直ちに行うように指令する動作遂行指令信号を生成してもよい。
【００６９】
次いで、動作遂行指令信号生成部４７３−２は、動作遂行指令信号が生成された途端に、該動作遂行指令信号を通信モニタリング部４７１を介して補助ＭＣＵ４６０に引き渡して診断信号に対応する動作が行われるように制御してもよい。
【００７０】
前記図４及び図５に基づいて述べた、本発明の実施形態によるバッテリパック状態の並列モニタリング装置が組み込まれたバッテリパックのモニタリングシステム４００は、従来のバッテリパックのモニタリングシステム１００、２００及び３００に比べて、簡単な回路構成で高い安全メカニズムを行うことができる。
【００７１】
また、本発明の実施形態によるバッテリパック状態の並列モニタリング装置４７０の制御部４７３が補助動作を行う必要がある状況であるか否かを判断するので、補助ＭＣＵ４６０の負荷を低減することができる。
【００７２】
更に、本発明の実施形態によるバッテリパック状態の並列モニタリング装置が組み込まれたバッテリパックのモニタリングシステム４００は、補助ＭＣＵ４６０の安全メカニズムのための補助動作を行う必要がある場合、従来のバッテリパックのモニタリングシステム１００、２００及び３００に比べて、安全メカニズムのための補助動作を高速で行うことができる。
【００７３】
一方、本発明の技術的思想は前記実施形態に基づいて具体的に記述されたが、前記実施形態はその説明のためのものに過ぎず、その制限のためのものではないということに留意すべきである。なお、本発明の技術分野における通常の知識を有する者であれば、本発明の技術思想の範囲内において様々な実施形態が採用可能であるということが理解できる筈である。
【図１】
0006530136.tif 000002
【図２】
0006530136.tif 000003
【図３】
0006530136.tif 000004
【図４】
0006530136.tif 000005
【図５】
0006530136.tif 000006